(57)【要約】【課題】中間シャーシ、フロントキャビネット及びバックライトシャーシ（背面シャーシ）とを側面ネジ（側面ビス）で共締めする薄型表示装置において、フロントキャビネットの開きを防止し光漏れを防止する技術を提供する。【解決手段】液晶テレビ１０では、中間シャーシ４０のパネル配置面４１ａは表示パネル１１に対して平行になっている。一方、固定面４１ｂは表示パネル１１に対して垂直になっている。つまり、パネル配置面４１ａと固定面４１ｂとは垂直になっている。傾斜リブ５３が無い場合、側面部２２の内面部分は水平面Ｌｈになる。しかし、傾斜リブ５３が有るため、側面部２２の内面部分は所定角度θ傾いた面Ｌｘになる。その結果、本体前面部２１はその所定角θだけ回転し端部２１ａが表示パネル１１に近づくように付勢される。ネジ９０による固定にともなって、フロントキャビネット２０の本体前面部２１が不適切に開いてしまうことが防止できる。【選択図】図７
2015090420.tif 000002
【特許請求の範囲】
【請求項１】
表示パネルの前面の外縁部分を覆うキャビネット本体と前記キャビネット本体の背面から後方に延出する固定用延出部とを有するフロントキャビネットと、前記表示パネルの後側に設けられた背面シャーシと、前記表示パネルの背面側を押さえように設けられた中間シャーシと、を有し、前記フロントキャビネットの前記固定用延出部と前記背面シャーシと前記中間シャーシとが、側面ネジ構造で固定される薄型表示装置であって、
前記固定用延出部と前記背面シャーシと前記中間シャーシとが前記側面ネジ構造で固定された状態で、前記キャビネット本体の表示パネル中央側の端部が表示パネル側に付勢していることを特徴とする薄型表示装置。
【請求項２】
前記中間シャーシは、前記フロントキャビネットの前記固定用延出部と接する側の面に、後方側が高くなる傾斜が設定されており、前記傾斜によって前記キャビネット本体の表示パネル中央側の端部が前記表示パネル側に付勢することを特徴とする請求項１に記載の薄型表示装置。
【請求項３】
前記傾斜は、後方に延びるリブであることを特徴とする請求項２に記載の薄型表示装置。
【請求項４】
前記中間シャーシと前記フロントキャビネットの前記固定用延出部との間に、傾斜形状の間装部材が配置されており、前記間装部材によって前記キャビネット本体の前記表示パネル中央側の端部が表示パネル側に付勢することを特徴とする請求項１に記載の薄型表示装置。
【請求項５】
前記背面シャーシは、前記側面ネジ構造で固定される面が、前方向が内側に傾く傾斜が設定されており、前記傾斜によって前記キャビネット本体の表示パネル中央側の端部が前記表示パネル側に付勢することを特徴とする請求項１に記載の薄型表示装置。
【請求項６】
前記フロントキャビネットと前記表示パネルとの間に緩衝部材が配置されていることを特徴とする請求項１から５のいずれかに記載の薄型表示装置。
【請求項７】
前記表示パネルは液晶パネルであって、前記緩衝部材が配置される部分にブラックマスク領域が形成されていることを特徴とする請求項６に記載の薄型表示装置。
【発明の詳細な説明】
【技術分野】
【０００１】
本発明は、薄型表示装置に係り、表示パネルを押さえる所定の中間シャーシを備える薄型表示装置に関する。
【背景技術】
【０００２】
近年、液晶テレビに代表される薄型表示装置においては、薄型化、狭額縁化が進んでいる。そのため、表示パネルを覆うフロントキャビネット（フロントフレーム）の厚さも短くなっている。また、薄型化のため、テレビの横方向（側面方向）からビス留め（ネジ留め）を行う構成も採用されている。側面からビスを打つことで厚さをより薄くすることができる。
【０００３】
例えば、図１２に公知の横方向からビス留めする構成の液晶テレビ６１０の上側部分の断面構造を示す。表示パネル６１１の前面には枠状のフロントキャビネット６２０が取り付けられている。バックライトシャーシ６１４と中間シャーシ６４０とフロントキャビネット６２０の側面部６２２とは、側面からのネジ６９０（ビス）によって共締めされている。バックライトシャーシ６１４には、ネジ穴６１９が形成されている。中間シャーシ６４０の固定面６４１ｂ、バックライトキャビネット６２０の側面部６２２ネジ留め開口６４９、６２９は、ネジ溝が無い穴（いわゆるバカ穴）である。光学シート６１３は中間シャーシ６４０のパネル配置面６４１ａの突起部６４１ｃによって位置決めされ、その上に表示パネル６１１（液晶パネル）が配置されている。
【０００４】
表示パネル６１１は、中央部分に映像を表示する領域があり、その周辺に表示領域以外を遮光するブラックマスク領域（ブラックマスク部６１５）がある。ブラックマスク部６１５によって、表示領域以外の部分からの光漏れを防止している。ブラックマスク部６１５よりも外縁部（図示では上側部分）は、いわゆる余白部分であり、光を透過する。そして、表示パネル６１１とフロントキャビネット６２０の本体前面部６２１は、ポロン（登録商標）等で形成された緩衝部材６１８を介して接触している。緩衝部材６１８は遮光性の材質で作られている。フロントキャビネット６２０と表示パネル６１１の間の緩衝部材６１８は、ブラックマスク部６１５に接触するように配置されている。このように、液晶パネル６１１と緩衝部材６１８が接触していることで、光漏れの発生が防止されている。
【０００５】
このような光漏れを防止する技術が様々提案されている。例えば、フレームとパネルの間にフィルム材を挿入することで、光漏れを防止する技術がある（例えば特許文献１参照）。
【先行技術文献】
【特許文献】
【０００６】
【特許文献１】特開２００６−１９５１４６号公報
【発明の概要】
【発明が解決しようとする課題】
【０００７】
ところで、フロントキャビネット６２０の狭枠化が進むと、表示パネル６１１のブラックマスク部６１５とのオーバーラップ量が少なくなっている。このような状態で、フロントキャビネット６２０の本体前面部６２１と表示パネル６１１の隙間がわずかでも発生してしまうと光が漏れてしまうことになる。
【０００８】
上述のように、液晶パネル６１１と緩衝部材６１８が接触している限りは、表示パネル６１１とフロントキャビネット６２０（本体前面部６２１）の間に隙間は発生せず、光漏れは発生しない。しかし、フロントキャビネット６２０は、側面部６２２部分で側面ビス（ネジ９０）で固定されている。ビス固定の力Ｆ１によって、側面ビス位置を軸として、端部６２１ａが離れる方向に回転する曲げ（回転力）が発生しやすい。その結果、ブラックマスク部６１５と緩衝部材１８とが離れ、その隙間から光がもれてしまうという課題がある。
【０００９】
また、フロントキャビネット６２０とバックライトシャーシ６１４の固定を側面ビスで行うことで、製品としては薄くすることはできる。しかし、厚さ方向への直接的力が発生しないので、フロントキャビネット６２０を表示パネル６１１に対して押さえつける力が弱くなる。このような構造の製品では、フロントキャビネット６２０（本体前面部６２１）が表示パネル６１１から開きやすく、また、開いた場合の表示パネル６１１の光漏れが顕著になるという課題があった。そのため、側面ビス構造での、フロントキャビネット６２０の開きを防止する技術が求められていた。また、特許文献１の技術においても同様の課題があった。
【００１０】
本発明は以上のような状況に鑑みなされたものであって、上記課題を解決する技術を提供することを目的とする。
【課題を解決するための手段】
【００１１】
本発明は、表示パネルの前面の外縁部分を覆うキャビネット本体と前記キャビネット本体の背面から後方に延出する固定用延出部とを有するフロントキャビネットと、前記表示パネルの後側に設けられた背面シャーシと、前記表示パネルの背面側を押さえように設けられた中間シャーシと、を有し、前記フロントキャビネットの前記固定用延出部と前記背面シャーシと前記中間シャーシとが、側面ネジ構造で固定される薄型表示装置であって、前記固定用延出部と前記背面シャーシと前記中間シャーシとが前記側面ネジ構造で固定された状態で、前記キャビネット本体の表示パネル中央側の端部が表示パネル側に付勢している。
また、前記中間シャーシは、前記フロントキャビネットの前記固定用延出部と接する側の面に、後方側が高くなる傾斜が設定されており、前記傾斜によって前記キャビネット本体の表示パネル中央側の端部が前記表示パネル側に付勢してもよい。
また、前記傾斜は、後方に延びるリブであってもよい。
また、前記中間シャーシと前記フロントキャビネットの前記固定用延出部との間に、傾斜形状の間装部材が配置されており、前記間装部材によって前記キャビネット本体の前記表示パネル中央側の端部が表示パネル側に付勢してもよい。
また、前記背面シャーシは、前記側面ネジ構造で固定される面が、前方向が内側に傾く傾斜が設定されており、前記傾斜によって前記キャビネット本体の表示パネル中央側の端部が前記表示パネル側に付勢してもよい。
前記フロントキャビネットと前記表示パネルとの間に緩衝部材が配置されてもよい。
また、前記表示パネルは液晶パネルであって、前記緩衝部材が配置される部分にブラックマスク領域が形成されてもよい。
【発明の効果】
【００１２】
本発明によれば、中間シャーシ、フロントキャビネット及び背面シャーシとを側面からのネジ（ビス）で共締めする薄型表示装置において、フロントキャビネットの開きを防止し、光漏れを防止する技術を実現することができる。
【図面の簡単な説明】
【００１３】
【図１】第１の実施形態に係る、液晶テレビを示す図である。
【図２】第１の実施形態に係る、図１のＡ１−Ａ１断面図である。
【図３】第１の実施形態に係る、図２の領域Ｂ１を拡大し示す断面図である。
【図４】第１の実施形態に係る、図２の領域Ｂ２を拡大し示す断面図である。
【図５】第１の実施形態に係る、中間シャーシとバックライトシャーシとを示す斜視図である。
【図６】第１の実施形態に係る、図５の領域Ｃ１を拡大して示す斜視図である。
【図７】第１の実施形態に係る、中間シャーシとフロントキャビネットとの取付構造を模式的に示す断面図である。
【図８】第２の実施形態に係る、中間シャーシとフロントキャビネットとの取付構造を模式的に示す液晶テレビの断面図である。
【図９】第３の実施形態に係る、中間シャーシとフロントキャビネットとの取付構造を模式的に示す液晶テレビの断面図である。
【図１０】第４の実施形態に係る、中間シャーシとフロントキャビネットとの取付構造を模式的に示す液晶テレビの断面図である。
【図１１】第５の実施形態に係る、中間シャーシとフロントキャビネットとの取付構造を模式的に示す液晶テレビの断面図である。
【図１２】背景技術に係る、中間シャーシとフロントキャビネットとの取付構造を模式的に示す液晶テレビの断面図である。
【発明を実施するための形態】
【００１４】
次に、本発明を実施するための形態（以下、単に「実施形態」という）を、図面を参照して具体的に説明する。以下の実施形態では、薄型表示装置の例として液晶テレビについて説明する。
【００１５】
＜第１の実施形態＞
図１は本実施形態に係る液晶テレビ１０を示す。図１（ａ）は正面図であり、図１（ｂ）は背面図である。図２は、図１（ａ）のＡ１−Ａ１断面図である。図示のように、液晶テレビ１０において、表示パネル１１の前面には枠状のフロントキャビネット２０が取り付けられている。また背面にはリアキャビネット１２が取り付けられている。表示パネル１１の背面にはバックライトシャーシ１４（背面シャーシ）が設けられている。そして、フロントキャビネット２０、中間シャーシ４０及びバックライトシャーシ１４は外周部分（図２では領域Ｂ１及びＢ２）において側面ビス構造で固定されている。側面ビス構造による固定については後述するが、基本的な構造は図１２の背景技術で説明した構造と同様である。
【００１６】
図３は、図２の領域Ｂ１を拡大し示す断面図である。図４は、図２の領域Ｂ２を拡大し示す断面図である。また、図５は、中間シャーシ４０とバックライトシャーシ１４とを示す斜視図である。図６は、図５の領域Ｃ１を拡大して示す斜視図である。また、図７は、中間シャーシ４０とフロントキャビネット２０との取付構造を模式的に示す断面図である。この図７は、図４の構造において、側面ビス構造による固定構造が備わった部分（但し、リアキャビネット１２等の構成を省いている）を示している。
【００１７】
本実施形態では、表示パネル１１とフロントキャビネット２０との開きによる光漏れを防止するために、フロントキャビネット２０と中間シャーシ４０との取付構造に特徴を持たせ、フロントキャビネット２０のパネル中心側端部（図７の端部２１ａ）を表示パネル１１側に付勢している。なお、長手方向、つまり幅方向の辺（上辺及び下辺）において歪みが発生しやすい。そこで、中間シャーシ４０において、長手方向に延びる上辺部４１及び下辺部４２に後述する固定部５０を設けて、上記付勢を実現している。左右の側辺部４３、４４には固定部５０はここでは設けない。以下、具体的に説明する。なお、付勢に関する上辺部４１及び下辺部４２の構造は同一であるので、上辺部４１に対応する構成について説明する。
【００１８】
背景技術の図１２に関して説明した構造と同様に、バックライトシャーシ１４と中間シャーシ４０とフロントキャビネット２０の側面部２２とは、側面からのネジ９０（ビス）によって共締めされている。金属製のバックライトシャーシ１４には、ネジ穴であるネジ留め開口１９が形成されている。
【００１９】
フロントキャビネット２０は、例えば、アルミニウム等の金属製の成形品であって、本体前面部２１（キャビネット本体）と側面部２２（固定用延出部）とを備えている。ただし、樹脂製の成形品であってもよい。本体前面部２１は、表示パネル１１の外枠外縁部分の一部を覆う。また、側面部２２は、本体前面部２１の背面から後方に向かって垂直に延出する板状の形状となっている。
【００２０】
本体前面部２１は、表示パネル１１の外縁部分にかかって配置される。また、本体前面部２１の裏面には側面部２２が表示パネル１１に対して垂直後方に延出している。側面部２２が、中間シャーシ４０及びバックライトシャーシ１４とネジ９０で共締めされている。フロントキャビネット２０の側面部２２のネジ留め開口２９は、ネジ溝が無い穴（いわゆるバカ穴）である。
【００２１】
中間シャーシ４０は、樹脂製の成形品であって、前面側のパネル配置面４１ａとパネル配置面４１ａから後方に垂直に延びる固定面４１ｂとを備える。パネル配置面４１ａには突起部４１ｃが所定位置に設けられている。
【００２２】
光学シート１３は中間シャーシ４０のパネル配置面４１ａの突起部４１ｃによって位置決めされ、その上に表示パネル１１（液晶パネル）が配置されている。
【００２３】
表示パネル１１は、中央部分に映像を表示する領域があり、その周辺に表示領域以外を遮光するブラックマスク部１５が形成されている。ブラックマスク部１５よりも外縁部（図示では上側部分）は、いわゆる余白部分であり、光を透過する。そして、表示パネル１１とフロントキャビネット２０の本体前面部２１は、ポロン（登録商標）等で形成された緩衝部材１８を介して接触している。緩衝部材１８は遮光性の特性を有する。フロントキャビネット２０と表示パネル１１の間の緩衝部材１８は、ブラックマスク部１５に接触するように配置されている。このように、液晶パネル１１と緩衝部材１８が接触していることで、光漏れの発生が防止されている。
【００２４】
図５や図６に示すように中間シャーシ４０の上辺部４１には、所定間隔で傾斜固定部５０が形成されている。具体的には、固定面４１ｂにおいて固定部５０は、ベース部５１とネジ留め開口５２と傾斜リブ５３とを備える。ベース部５１は、固定面４１ｂと略面一に形成されている。ベース部５１は、固定面４１ｂと一体でもよいし分離して構成されてもよい。図示は、分離した構成となっている。ネジ留め開口５２は、ベース部５１の略中央に形成されたネジ溝の無い開口（いわゆるバカ穴）である。また、傾斜リブ５３は、ベース部５１の上面において、ネジ留め開口５２を挟むように後方に延びるように形成されている。傾斜リブ５３の構造は、例えば図７に示すように、前方側（表示パネル１１側）が低く後方側が高くなるように水平面Ｌｘに対して所定の角度θの傾斜が設定されている。
【００２５】
このような構造を有する液晶テレビ１０では、中間シャーシ４０のパネル配置面４１ａは表示パネル１１に対して平行になっている。一方、固定面４１ｂは表示パネル１１に対して垂直になっている。つまり、パネル配置面４１ａと固定面４１ｂとは垂直になっている。傾斜リブ５３が無い場合、側面部２２の内面部分は水平面Ｌｈになる。しかし、傾斜リブ５３が有るため、側面部２２の内面部分は、所定角度θ傾いた面Ｌｘになる。その結果、本体前面部２１はその所定角θだけ回転し、端部２１ａが表示パネル１１に近づくように付勢される。したがって、ネジ９０による固定にともなって、フロントキャビネット２０の本体前面部２１が不適切に開いてしまうことが防止できる。つまり、端部２１ａが表示パネル１１から離間する方向に移動し緩衝部材１８が外れることがない。なお、固定部５０を形成する場合、成型用の金型で寸法等を調整できるので、設計の自由度が高い。また、傾斜リブ５３の構成で、ある程度の弾力を持たせることができる。
【００２６】
＜第２の実施形態＞
本実施形態は第１の変形例であって、主に異なる構成等について図８の液晶テレビ２１０の断面図を参照して説明する。
【００２７】
第１の実施形態では、傾斜リブ５３を備える固定部５０を設けた。本実施形態では、傾斜リブ５３に対応する構成として、中間シャーシ２４０の固定面２４１ｂの形状自体に傾斜を設けた。具体的には、パネル配置面２４１ａに対して固定面２４１ｂの内側の面、つまり、バックライトシャーシ１４と接する側の面は、第１の実施形態と同様に、水平面Ｌｈとしている。一方、固定面２４１ｂの外側の面、つまり、フロントキャビネット２０の側面部２２と接する側の面を、傾斜リブ５３と同様に水平面Ｌｘに対して所定の傾斜角θを有する面Ｌｘとしている。
【００２８】
このような構成によって、第１の実施形態と同様の効果が得られる。さらに、上辺部全体で傾斜が設定されるので、歪みの発生を大幅に低減できる。
【００２９】
＜第３の実施形態＞
本実施形態を図９の液晶テレビ３１０の断面図を参照して説明する。本実施形態では、バックライトシャーシ３１４のバックライト側面部３１４ｂ（図示では上面部分）を水平面Ｌｘではなく、水平面Ｌｘに対して所定の傾斜角θを有した面としている。シャーシ背面部３１４ａは表示パネル１１に対して平行が面を前提に所定の形状となっている。ネジ留め開口２９、３１９、３４９でネジ９０により共締めされ、フロントキャビネット２０の側面部２２、中間シャーシ３４０の固定面３４１ｂ、バックライト側面部３１４ｂが共締めされる。
【００３０】
このように、バックライトシャーシ３１４の縁部を鋭角方向に曲げることで、フロントキャビネット２０の本体前面部２１が表示パネル１１側に若干倒れる。なお、ネジ９０を固定するビス穴（ネジ留め開口２９、３１９、３４９）は、バックライト側面部３１４ｂに対して垂直に開ける。傾いたバックライトシャーシ３１４のバックライト側面部３１４ｂに対して、中間シャーシ４０、フロントキャビネット２０が固定されるので、結果的にフロントキャビネット２０の端部２１ａは表示パネル１１に接する方向に傾き、光漏れを防止できる。
【００３１】
＜第４の実施形態＞
本実施形態を図１０の液晶テレビ４１０の断面図を参照して説明する。本実施形態では、フロントキャビネット４２０の本体前面部４２１と側面部４２２の角度を９０度ではなく、所定角度θだけ小さい鋭角（９０°−θ）に設定する。つまり、側面部４２２が下側（内部側）に方向に所定角度θだけ傾斜して延びている。
【００３２】
フロントキャビネット４２０が、水平になっているバックライトシャーシ１４の側面部４２２及び固定面４１ｂに共締めされるので、本体前面部４２１（端部４２１ａ）が表示パネル１１方向に近づく。このような構成によって、上記の実施形態と同様に、光漏れが防止される。
【００３３】
＜第５の実施形態＞
本実施形態を図１１の液晶テレビ５１０の断面図を参照して説明する。本実施形態では、第１の実施形態の固定部５０の構成の代わりに、ワッシャ５５０を設けている。
【００３４】
つまり、中間シャーシ４０とフロントキャビネット２０の側面部２２との間に間に傾斜型のワッシャ５５０が取り付けられている。ワッシャ５５０は、所定角θに傾斜して背面側が厚くなるワッシャ面５５１と、ワッシャ面５５１の略中央に形成されたネジ留め開口５５２と、ワッシャ面５５１の端部に設けられた係止片５５３とを備える。ワッシャ面５５１の先端側（係止片５５３と反対側）は先が細くなっている。係止片５５３は、ワッシャ面５５１の後側が下方向に折れ曲がって形成されている。係止片５５３は、中間シャーシ４０の縁にかかるようになっており、位置合わせが容易にできる。このような構成によって上述の実施形態と同様に光り漏れを防止できる。また、ワッシャ５５０を別途用意すればよく従来の構成に適用することが容易である。
【００３５】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。また、緩衝部材の大きさや厚さを変更することで、フロントキャビネットと表示パネルとの密着性を調整してもよい。
【符号の説明】
【００３６】
１０、２１０、３１０、４１０、５１０  液晶テレビ（薄型表示装置）
１１  表示パネル
１２  リアキャビネット
１３  光学シート
１４、３１４  バックライトシャーシ（背面シャーシ）
１５  ブラックマスク部
１８  緩衝部材
１９、２９、５２、２４９、３１９、３４９、５５２  ネジ留め開口
２０、４２０  フロントキャビネット
２１、４２１  本体前面部（キャビネット本体）
２１ａ、４２１ａ  端部
２２、４２２  側面部（固定用延出部）
４０、２４０、３４０  中間シャーシ
４１  上辺部
４１ａ、２４１ａ、３４１ａ  パネル配置面
４１ｂ、２４１ｂ、３４１ｂ  固定面
４２  下辺部
４３、４４  側辺部
５０  固定部
５１  ベース部
５３  傾斜リブ
３１４ａ  シャーシ背面部
３１４ｂ  バックライト側面部
５５０  ワッシャ（間装部材）
５５１  ワッシャ面
５５３  係止片
９０  ネジ
【図１】
2015090420.tif 000003
【図２】
2015090420.tif 000004
【図３】
2015090420.tif 000005
【図４】
2015090420.tif 000006
【図５】
2015090420.tif 000007
【図６】
2015090420.tif 000008
【図７】
2015090420.tif 000009
【図８】
2015090420.tif 000010
【図９】
2015090420.tif 000011
【図１０】
2015090420.tif 000012
【図１１】
2015090420.tif 000013
【図１２】
2015090420.tif 000014
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
表示パネルの前面の外縁部分を覆うキャビネット本体と前記キャビネット本体の背面から後方に延出する固定用延出部とを有するフロントキャビネットと、前記表示パネルの後側に設けられた背面シャーシと、前記表示パネルの背面側を押さえるように設けられた中間シャーシと、を有し、前記フロントキャビネットの前記固定用延出部と前記背面シャーシと前記中間シャーシとが、側面側を固定部材で固定する構造で固定される薄型表示装置であって、
前記固定用延出部と前記背面シャーシと前記中間シャーシとが前記固定部材で固定された状態で、前記キャビネット本体の表示パネル中央側の端部が表示パネル側に付勢または当接していることを特徴とする薄型表示装置。
【請求項２】
前記中間シャーシは、前記フロントキャビネットの前記固定用延出部と接する側の面に、後方側が高くなる傾斜が設定されており、前記傾斜によって前記キャビネット本体の表示パネル中央側の端部が前記表示パネル側に付勢または当接することを特徴とする請求項１に記載の薄型表示装置。
【請求項３】
前記傾斜は、後方に延びるリブであることを特徴とする請求項２に記載の薄型表示装置。
【請求項４】
前記中間シャーシと前記フロントキャビネットの前記固定用延出部との間に、傾斜形状の間装部材が配置されており、前記間装部材によって前記キャビネット本体の前記表示パネル中央側の端部が表示パネル側に付勢または当接することを特徴とする請求項１に記載の薄型表示装置。
【請求項５】
前記背面シャーシは、前記固定部材で固定される面が、前方向が内側に傾く傾斜が設定されており、前記傾斜によって前記キャビネット本体の表示パネル中央側の端部が前記表示パネル側に付勢または当接することを特徴とする請求項１に記載の薄型表示装置。
【請求項６】
前記フロントキャビネットと前記表示パネルとの間に緩衝部材が配置されていることを特徴とする請求項１から５のいずれかに記載の薄型表示装置。
【請求項７】
前記表示パネルは液晶パネルであって、前記緩衝部材が配置される部分にブラックマスク領域が形成されていることを特徴とする請求項６に記載の薄型表示装置。
【請求項８】
前記側面側を前記固定部材で固定する構造は、側面ネジ構造であることを特徴とする請求項１から７までのいずれかに記載の薄型表示装置。
【手続補正２】
【補正対象書類名】明細書
【補正対象項目名】００１１
【補正方法】変更
【補正の内容】
【００１１】
本発明は、表示パネルの前面の外縁部分を覆うキャビネット本体と前記キャビネット本体の背面から後方に延出する固定用延出部とを有するフロントキャビネットと、前記表示パネルの後側に設けられた背面シャーシと、前記表示パネルの背面側を押さえように設けられた中間シャーシと、を有し、前記フロントキャビネットの前記固定用延出部と前記背面シャーシと前記中間シャーシとが、側面側を固定部材で固定する構造で固定される薄型表示装置であって、前記固定用延出部と前記背面シャーシと前記中間シャーシとが前記固定部材で固定された状態で、前記キャビネット本体の表示パネル中央側の端部が表示パネル側に付勢または当接している。
また、前記中間シャーシは、前記フロントキャビネットの前記固定用延出部と接する側の面に、後方側が高くなる傾斜が設定されており、前記傾斜によって前記キャビネット本体の表示パネル中央側の端部が前記表示パネル側に付勢または当接してもよい。
また、前記傾斜は、後方に延びるリブであってもよい。
また、前記中間シャーシと前記フロントキャビネットの前記固定用延出部との間に、傾斜形状の間装部材が配置されており、前記間装部材によって前記キャビネット本体の前記表示パネル中央側の端部が表示パネル側に付勢または当接してもよい。
また、前記背面シャーシは、前記固定部材で固定される面が、前方向が内側に傾く傾斜が設定されており、前記傾斜によって前記キャビネット本体の表示パネル中央側の端部が前記表示パネル側に付勢または当接してもよい。
前記フロントキャビネットと前記表示パネルとの間に緩衝部材が配置されてもよい。
また、前記表示パネルは液晶パネルであって、前記緩衝部材が配置される部分にブラックマスク領域が形成されてもよい。
また、前記側面側を前記固定部材で固定する構造は、側面ネジ構造であってもよい。